(57)【要約】【課題】コストダウンを実現することができる不動産情報利用システムおよびプログラムを提供する。【解決手段】不動産物件に関する不動産情報を掲載する不動産検索のＷｅｂサイト２、不動産検索のＷｅｂサイト２の管理者の有する管理サーバ３、不動産検索のＷｅｂサイト３に掲載された不動産情報を利用する利用者の有する利用者端末装置４、および利用者のＷｅｂサイト５を有する不動産情報利用システム１において、利用者端末装置４は、管理サーバ３または不動産検索のＷｅｂサイト３に掲載された不動産情報を抽出して入力する端末装置入力部２２０、および端末装置入力部２２０により入力された不動産情報を利用者のＷｅｂサイト５に掲載する端末装置Ｗｅｂ利用者サイト掲載部２６０を有する。【選択図】図１
2018132804.tif 000002
【特許請求の範囲】
【請求項１】
不動産物件に関する不動産情報を掲載する不動産検索のＷｅｂサイトと、前記不動産検索のＷｅｂサイトを管理する管理者の有する管理サーバと、前記不動産検索のＷｅｂサイトに掲載された不動産情報を利用する利用者の有する利用者端末装置と、前記利用者のＷｅｂサイトと、を有する不動産情報利用システムにおいて、
前記利用者端末装置は、前記管理サーバに記憶された前記不動産情報または前記不動産検索のＷｅｂサイトに掲載された前記不動産情報を抽出して入力する端末装置入力部と、前記端末装置入力部により入力された不動産情報を前記利用者のＷｅｂサイトに掲載する端末装置利用者Ｗｅｂサイト掲載部と、を有することを特徴とする不動産情報利用システム。
【請求項２】
不動産物件に関する不動産情報を掲載する不動産検索のＷｅｂサイトと、前記不動産検索のＷｅｂサイトを管理する管理者の有する管理サーバと、前記不動産検索のＷｅｂサイトに掲載された不動産情報を利用する利用者の有する利用者端末装置と、前記利用者のＷｅｂサイトと、前記管理サーバ、前記不動産検索のＷｅｂサイト、前記利用者端末装置、前記利用者のＷｅｂサイトとの間で相互にデータの通信を行うネットワーク通信回線と、を有する不動産情報利用システムにおいて、
前記管理サーバは、
前記不動産情報を記憶するサーバ記憶部と、
前記ネットワーク通信回線を通じて前記利用者端末装置により出力された端末装置出力情報を入力するサーバ入力部と、
前記サーバ入力部により入力された端末装置出力情報に基づいて前記サーバ記憶部から前記不動産情報を読み出して前記不動産検索Ｗｅｂサイトに掲載するサーバＷｅｂサイト掲載部と、
前記不動産情報を前記利用者端末装置に出力するサーバ出力部と、
を有し、
前記利用者端末装置は、
前記ネットワーク通信回線を通じて前記端末装置出力情報を前記管理サーバのサーバ入力部に出力する端末装置出力部と、
前記サーバ記憶部に記憶された前記不動産情報または前記不動産検索のＷｅｂサイトに掲載された前記不動産情報を抽出して前記サーバ出力部および前記ネットワーク通信回線を通じて入力する端末装置入力部と、
前記端末装置入力部により入力された前記不動産情報を記憶する端末装置記憶部と、
前記端末装置記憶部に記憶された前記不動産情報の中から更に前記不動産情報を抽出する端末装置抽出部と、
前記端末装置抽出部により抽出された前記不動産情報を前記ネットワーク通信回線を通じて送信する端末装置情報送信部と、
前記端末装置抽出部により抽出された前記不動産情報を前記利用者のＷｅｂサイトに掲載する端末装置利用者Ｗｅｂサイト掲載部と、
を有することを特徴とする不動産情報利用システム。
【請求項３】
前記端末装置抽出部により抽出された前記不動産情報を前記不動産検索のＷｅｂサイトに掲載する端末装置不動産Ｗｅｂサイト掲載部を有することを特徴とする請求項２に記載の不動産情報利用システム。
【請求項４】
前記端末装置情報送信部は、前記不動産情報を前記ネットワーク通信回線を通じてファクシミリ送信することを特徴とする請求項２または請求項３に記載の不動産情報利用システム。
【請求項５】
前記利用者端末装置は、前記端末装置入力部により入力される前記不動産情報の入力量、入力時間、および入力時刻のうち少なくともいずれかを制限する端末装置入力制限部を有することを特徴とする請求項２乃至請求項４に記載の不動産情報利用システム。
【請求項６】
前記管理サーバは、前記サーバ入力部により入力された利用者端末装置出力情報に基づいて、前記利用者端末装置のアクセスを許可するか否かを判断するサーバアクセス許可部を有することを特徴とする請求項２乃至請求項５のうちいずれか一項に記載の不動産情報利用システム。
【請求項７】
前記端末装置出力情報は、前記管理サーバにアクセスするための情報、前記サーバ記憶部に記憶された不動産情報を読み出すための情報または前記不動産検索のＷｅｂサイトに掲載された前記不動産情報を抽出するための情報を含むことを特徴とする請求項２乃至請求項６のうちいずれか一項に記載の不動産情報利用システム。
【請求項８】
不動産物件に関する不動産情報を掲載する不動産検索のＷｅｂサイトと、前記不動産検索のＷｅｂサイトを管理する管理者の有する管理サーバと、前記不動産検索のＷｅｂサイトに掲載された不動産情報を利用する利用者の有する利用者端末装置と、前記利用者のＷｅｂサイトと、を有する不動産情報利用システムにおける利用者端末装置のコンピュータを、
前記管理サーバに記憶された前記不動産情報または前記管理サーバの不動産検索のＷｅｂサイトに掲載された前記不動産情報を抽出して入力する端末装置入力部と、前記端末装置入力部により入力された不動産情報を前記利用者のＷｅｂサイトに掲載する端末装置利用者Ｗｅｂサイト掲載部として機能させることを特徴とするプログラム。
【発明の詳細な説明】
【技術分野】
【０００１】
本発明は、不動産情報利用システムおよびプログラムに関し、特に不動産物件に関する不動産情報を掲載する不動産検索のＷｅｂサイトと、不動産検索のＷｅｂサイトを管理する管理者の有する管理サーバと、不動産検索のＷｅｂサイトに掲載された不動産情報を利用する利用者の有する利用者端末装置と、利用者のＷｅｂサイトと、を有する不動産情報利用システムおよびプログラムに関する。
【背景技術】
【０００２】
不動産物件の売買・賃貸が活発に行われており、不動産情報を掲載する各種の不動産検索サイトがある。このような不動産検索サイトに関する技術は、例えば特許文献１により開示された技術が参照される。
【先行技術文献】
【特許文献】
【０００３】
【特許文献１】特開２０１４−２４１１１０号公報
【発明の概要】
【発明が解決しようとする課題】
【０００４】
ところで不動産物件を取り扱う各種の不動産会社では、不動産会社が専門に扱うことができる不動産検索のＷｅｂサイトにアクセスし、このＷｅｂサイトに掲載された不動産情報の中から自社で取り扱いたいとする不動産情報を抽出して自社のＷｅｂサイトに掲載することが一般に行われる。
【０００５】
しかしながら、不動産検索のＷｅｂサイトからの不動産情報の抽出や自社のＷｅｂサイトへの掲載は、煩雑であり非常に多くの作業時間を要していた。このため、各不動産会社からは作業時間を減らしコストダウンを実現することができるシステムの開発が強く望まれていた。
【０００６】
本発明は、このような課題に鑑みてなされたものであり、コストダウンを実現することができる不動産情報利用システムおよびプログラムを提供することを目的する。
【課題を解決するための手段】
【０００７】
上記の課題を解決するため、請求項１に係る不動産情報利用システムの発明は、不動産物件に関する不動産情報を掲載する不動産検索のＷｅｂサイトと、前記不動産検索のＷｅｂサイトを管理する管理者の有する管理サーバと、前記不動産検索のＷｅｂサイトに掲載された不動産情報を利用する利用者の有する利用者端末装置と、前記利用者のＷｅｂサイトと、を有する不動産情報利用システムにおいて、前記利用者端末装置は、前記管理サーバに記憶された前記不動産情報または前記不動産検索のＷｅｂサイトに掲載された前記不動産情報を抽出して入力する端末装置入力部と、前記端末装置入力部により入力された不動産情報を前記利用者のＷｅｂサイトに掲載する端末装置利用者Ｗｅｂサイト掲載部と、を有することを特徴とする。
【０００８】
本発明によれば、前記利用者端末装置は、前記管理サーバに記憶された前記不動産情報または前記不動産検索のＷｅｂサイトに掲載された前記不動産情報を抽出して入力する端末装置入力部と、前記端末装置入力部により入力された不動産情報を前記利用者のＷｅｂサイトに掲載する端末装置利用者Ｗｅｂサイト掲載部と、を有することとしたので、管理サーバまたは不動産検索のＷｅｂサイトからの不動産情報の抽出や利用者（不動産会社）のＷｅｂサイトへの掲載を行うための作業時間を削減することができ、コストダウンを実現することができる。
【０００９】
上記の課題を解決するため、請求項２に係る不動産情報利用システムの発明は、不動産物件に関する不動産情報を掲載する不動産検索のＷｅｂサイトと、前記不動産検索のＷｅｂサイトを管理する管理者の有する管理サーバと、前記不動産検索のＷｅｂサイトに掲載された不動産情報を利用する利用者の有する利用者端末装置と、前記利用者のＷｅｂサイトと、前記管理サーバ、前記不動産検索のＷｅｂサイト、前記利用者端末装置、前記利用者のＷｅｂサイトとの間で相互にデータの通信を行うネットワーク通信回線と、を有する不動産情報利用システムにおいて、前記管理サーバは、前記不動産情報を記憶するサーバ記憶部と、前記ネットワーク通信回線を通じて前記利用者端末装置により出力された端末装置出力情報を入力するサーバ入力部と、前記サーバ入力部により入力された端末装置出力情報に基づいて前記サーバ記憶部から前記不動産情報を読み出して前記不動産検索Ｗｅｂサイトに掲載するサーバＷｅｂサイト掲載部と、前記不動産情報を前記利用者端末装置に出力するサーバ出力部と、を有し、前記利用者端末装置は、前記ネットワーク通信回線を通じて前記端末装置出力情報を前記管理サーバのサーバ入力部に出力する端末装置出力部と、前記サーバ記憶部に記憶された前記不動産情報または前記不動産検索のＷｅｂサイトに掲載された前記不動産情報を抽出して前記サーバ出力部および前記ネットワーク通信回線を通じて入力する端末装置入力部と、前記端末装置入力部により入力された前記不動産情報を記憶する端末装置記憶部と、前記端末装置記憶部に記憶された前記不動産情報の中から更に前記不動産情報を抽出する端末装置抽出部と、前記端末装置抽出部により抽出された前記不動産情報を前記ネットワーク通信回線を通じて送信する端末装置情報送信部と、前記端末装置抽出部により抽出された前記不動産情報を前記利用者のＷｅｂサイトに掲載する端末装置利用者Ｗｅｂサイト掲載部と、を有することを特徴とする。
【００１０】
本発明によれば、前記管理サーバは、前記不動産情報を記憶するサーバ記憶部と、前記ネットワーク通信回線を通じて前記利用者端末装置により出力された端末装置出力情報を入力するサーバ入力部と、前記サーバ入力部により入力された端末装置出力情報に基づいて前記サーバ記憶部から前記不動産情報を読み出して前記不動産検索Ｗｅｂサイトに掲載するサーバＷｅｂサイト掲載部と、前記不動産情報を前記利用者端末装置に出力するサーバ出力部と、を有し、前記利用者端末装置は、前記ネットワーク通信回線を通じて前記端末装置出力情報を前記管理サーバのサーバ入力部に出力する端末装置出力部と、前記サーバ記憶部に記憶された前記不動産情報または前記不動産検索のＷｅｂサイトに掲載された前記不動産情報を抽出して前記ネットワーク通信回線を通じて入力する端末装置入力部と、前記端末装置入力部により入力された前記不動産情報を記憶する端末装置記憶部と、前記端末装置記憶部に記憶された前記不動産情報の中から更に前記不動産情報を抽出する端末装置抽出部と、前記端末装置抽出部により抽出された前記不動産情報を前記ネットワーク通信回線を通じて送信する端末装置情報送信部と、前記端末装置抽出部により抽出された前記不動産情報を前記利用者のＷｅｂサイトに掲載する端末装置利用者Ｗｅｂサイト掲載部と、を有することとしたので、不動産検索のＷｅｂサイトからの不動産情報の抽出や利用者（不動産会社）のＷｅｂサイトへの掲載を行うための作業時間を削減することができ、コストダウンを実現することができる。
前記端末装置抽出部により抽出された前記不動産情報を前記不動産検索のＷｅｂサイトに掲載する端末装置不動産検索Ｗｅｂサイト掲載部を有することとすれば、抽出された不動産情報を不動産検索のＷｅｂサイトに掲載する際にも作業時間を削減することができる（請求項３）。
【００１１】
前記端末装置情報送信部は、前記不動産情報を前記ネットワーク通信回線を通じてファクシミリ送信することとすることができる（請求項４）。
前記利用者端末装置は、前記端末装置入力部により入力される前記不動産情報の入力量、入力時間、および入力時刻のうち少なくともいずれかを制限する端末装置入力制限部を有することとすれば、管理サーバ側において不動産情報の入力量、入力時間、および入力時刻が制限される場合にあっても適切に対応することができる（請求項５）。
【００１２】
前記管理サーバは、前記サーバ入力部により入力された利用者端末装置出力情報に基づいて、前記利用者端末装置のアクセスを許可するか否かを判断するサーバアクセス許可部を有することとすることができる（請求項６）。
【００１３】
前記利用者端末装置出力情報は、前記管理サーバにアクセスするための情報、前記サーバ記憶部に記憶された不動産情報を読み出すための情報または前記不動産検索のＷｅｂサイトに掲載された前記不動産情報を抽出するための情報を含むこととすることができる（請求項７）。
【００１４】
上記の課題を解決するため、請求項８に係るプログラムの発明は、不動産物件に関する不動産情報を掲載する不動産検索のＷｅｂサイトと、前記不動産検索のＷｅｂサイトを管理する管理者の有する管理サーバと、前記不動産検索のＷｅｂサイトに掲載された不動産情報を利用する利用者の有する利用者端末装置と、前記利用者のＷｅｂサイトと、を有する不動産情報利用システムにおける利用者端末装置のコンピュータを、前記管理サーバに記憶された前記不動産情報または前記管理サーバの不動産検索のＷｅｂサイトに掲載された前記不動産情報を抽出して入力する端末装置入力部と、前記端末装置入力部により入力された不動産情報を前記利用者のＷｅｂサイトに掲載する端末装置利用者Ｗｅｂサイト掲載部として機能させることを特徴とする。
【００１５】
本発明によれば、利用者端末装置のコンピュータを、前記管理サーバに記憶された前記不動産情報または前記管理サーバの不動産検索のＷｅｂサイトに掲載された前記不動産情報を抽出して入力する端末装置入力部と、前記端末装置入力部により入力された不動産情報を前記利用者のＷｅｂサイトに掲載する端末装置利用者Ｗｅｂサイト掲載部として機能させることとしたので、不動産検索のＷｅｂサイトからの不動産情報の抽出や利用者（不動産会社）のＷｅｂサイトへの掲載を行うための作業時間を削減することができ、コストダウンを実現することができる。
【発明の効果】
【００１６】
本発明によれば、コストダウンを実現することができる。
【図面の簡単な説明】
【００１７】
【図１】本発明の実施形態に係る不動産情報利用システムの全体構成を示すブロック図である。
【図２】同不動産情報利用システムの管理サーバの構成を示すブロック図である。
【図３】同不動産情報利用システムの利用者端末装置の構成を示すブロック図である。
【図４】同不動産情報利用システムにおける管理サーバの処理フローを説明するためのフローチャートである。
【図５】同不動産情報利用システムにおける利用者端末装置の処理フローを説明するためのフローチャートである。
【発明を実施するための形態】
【００１８】
以下、本発明の実施形態について図面を参照して詳細に説明する。図１は、本発明の実施形態に係る不動産情報利用システム１の全体構成を示すブロック図である。これらの図を参照して不動産情報利用システム１の全体構成の概要を説明すると、不動産情報利用システム１は、不動産物件に関する不動産情報を掲載する不動産検索のＷｅｂサイト２、不動産検索のＷｅｂサイト２を管理する管理者の有する管理サーバ３、不動産検索のＷｅｂサイト２に掲載された不動産情報を利用する利用者の有する利用者端末装置４、利用者のＷｅｂサイト５、および管理サーバ３、不動産検索のＷｅｂサイト２、利用者端末装置４、利用者のＷｅｂサイト５等との間で相互にデータの通信を行うネットワーク通信回線を有している。不動産検索のＷｅｂサイト２は、より詳しくは不動産検索のポータルサイトであり、複数のＷｅｂサイト２を含むことができる。
【００１９】
管理サーバ３は、図２に示すように、サーバ入力部１００、サーバアクセス許可部１１０、サーバ記憶部１２０、サーバＷｅｂサイト掲載部１３０、サーバ出力部１４０からなる。
サーバ入力部１００は、ネットワーク通信回線を通じて利用者端末装置４により出力された端末装置出力情報より詳しくはパスワード情報およびキーワード情報を入力する機能を有している。なお、パスワード情報とは、利用者を特定し管理サーバ３にアクセスするために用いられる情報であり、キーワード情報とは、サーバ記憶部１２０から不動産情報を読み出すために用いられる情報または管理サーバ３の不動産検索のＷｅｂサイト２に掲載された不動産情報を抽出するために用いられる情報である。
【００２０】
サーバアクセス許可部１１０は、サーバ入力部１００により入力されたパスワード情報に基づいて、利用者端末装置４のアクセスを許可するか否かを判断する機能を有している。
【００２１】
サーバ記憶部１２０は、不動産物件に関する不動産情報を記憶する機能を有している。
サーバＷｅｂサイト掲載部１３０は、利用者端末装置４の端末装置出力部２００からサーバ入力部１００に入力されたキーワード情報に基づいてサーバ記憶部１２０から不動産情報を読み出し、同不動産情報を不動産検索のＷｅｂサイト３に掲載する機能を有している。
サーバ出力部１４０は、ネットワーク通信回線を通じて利用者端末装置４に不動産情報を出力する機能を有している。
【００２２】
ここで、管理サーバ３は、該管理サーバ３をサーバ入力部１００、サーバアクセス許可部１１０、サーバ記憶部１２０、サーバＷｅｂサイト掲載部１３０、およびサーバ出力部１４０として機能させるプログラムを記憶しており、該プログラムを実行することにより管理サーバ３を、サーバ入力部１００、サーバアクセス許可部１１０、サーバ記憶部１２０、サーバＷｅｂサイト掲載部１３０、およびサーバ出力部１４０として機能させることができる。
【００２３】
利用者端末装置４は、図３に示すように、端末装置出力部２００、端末装置入力部２１０、端末装置入力制限部２２０、端末装置記憶部２３０、端末装置抽出部２４０、端末装置情報送信部２５０、端末装置利用者Ｗｅｂサイト掲載部２６０、および端末装置不動産Ｗｅｂサイト掲載部２７０からなる。
【００２４】
端末装置出力部２００は、ネットワーク通信回線を通じて端末装置出力情報より詳しくはパスワード情報およびキーワード情報を管理サーバ３のサーバ入力部１００に出力する機能を有している。
端末装置入力部２１０は、サーバ記憶部１２０に記憶されキーワード情報に基づいて読み出した不動産情報または不動産検索のＷｅｂサイト２に掲載された不動産情報を抽出してサーバ出力部１４０およびネットワーク通信回線を通じて入力する機能を有している。なお、端末装置入力部２１０は、不動産情報として賃貸物件情報および売買物件情報を抽出して入力する。
【００２５】
端末装置入力制限部２２０は、端末装置入力部２１０により入力される不動産情報のデータ入力量、不動産物件の件数、データ入力速度、データ入力時間、およびデータ入力時刻（データ入力の時間帯）のうち少なくともいずれかを制限する機能を有している。すなわち、利用者（各不動産会社）は、不動産検索のＷｅｂサイト２の管理者との間で、同Ｗｅｂサイト２から入力するデータ量、不動産物件の件数、データ入力速度、データ入力時間、データ入力の時間帯等が契約により制限されている場合があり、端末装置入力制限部２２０を有することによりこのような契約を順守することができ、契約不履行となることを確実に防止することができる。
【００２６】
端末装置記憶部２３０は、端末装置入力部２２０により入力された不動産情報を記憶する機能を有している。
端末装置抽出部２４０は、端末装置記憶部２３０に記憶された不動産情報の中から更に不動産情報を選択して抽出する機能を有している。
【００２７】
端末装置情報送信部２５０は、端末装置抽出部２４０により抽出された不動産情報をネットワーク通信回線を通じてファクシミリ送信する機能を有している。このファクシミリ通信は、例えば不動産検索のＷｅｂサイト２の管理者に送信される。
【００２８】
端末装置利用者Ｗｅｂサイト掲載部２６０は、端末装置抽出部２４０により抽出された不動産情報を利用者のＷｅｂサイト５に掲載する機能を有している。
端末装置不動産Ｗｅｂサイト掲載部２７０は、端末装置抽出部２４０により抽出された不動産情報を不動産検索のＷｅｂサイト２に掲載する機能を有している。なお、端末装置不動産Ｗｅｂサイト掲載部２７０は、端末装置抽出部２４０により抽出された不動産情報を管理物件情報として不動産検索のＷｅｂサイト２に掲載する。この端末装置不動産Ｗｅｂサイト掲載部２７０による不動産検索のＷｅｂサイト２への掲載は、より詳しくは、抽出された不動産情報を、端末装置出力部２００からネットワーク通信回線を通じてサーバ入力部１００に入力するとともにサーバ記憶部１２０に記憶し、更にサーバＷｅｂサイト掲載部１３０を介して掲載することにより行う。
【００２９】
ここで、端末装置利用者Ｗｅｂサイト掲載部２６０および端末装置不動産Ｗｅｂサイト掲載部２７０による不動産情報の掲載は、管理サーバ３からの掲載許可情報の入力により行うこととすることができる。すなわち、不動産検索のＷｅｂサイト２の管理者が、端末装置情報送信部２５０により送信されたファクシミリを確認し、利用者のＷｅｂサイト５および不動産検索のＷｅｂサイト２による不動産情報の掲載を許可する場合は、管理者が管理サーバ３を所要に操作して掲載許可情報を利用者端末装置４に送信し、端末装置利用者Ｗｅｂサイト掲載部２６０および端末装置不動産Ｗｅｂサイト掲載部２７０が、不動産情報を掲載することとしても良い。
【００３０】
なお、利用者端末装置４は、該利用者端末装置４を端末装置出力部２００、端末装置入力部２１０、端末装置入力制限部２２０、端末装置記憶部２３０、端末装置抽出部２４０、端末装置情報送信部２５０、端末装置利用者Ｗｅｂサイト掲載部２６０、および端末装置不動産Ｗｅｂサイト掲載部２７０として機能させるプログラムを記憶しており、該プログラムを実行することにより利用者端末装置４を、端末装置出力部２００、端末装置入力制限部２１０、端末装置入力部２２０、端末装置記憶部２３０、端末装置抽出部２４０、端末装置情報送信部２５０、端末装置Ｗｅｂ利用者サイト掲載部２６０、および端末装置不動産Ｗｅｂサイト掲載部２７０として機能させることができる。
【００３１】
次に、管理サーバ３のデータ処理フローを図４のフローチャートに基づいて説明する。
まずステップＳ１０において、サーバ入力部１００が利用者端末装置４の端末装置出力部２００から端末装置出力情報より詳しくはパスワード情報を入力する。
【００３２】
次いで、ステップＳ２０において、サーバアクセス許可部１１０が、利用者端末装置４からのアクセスを許可するか否かの判断を行う。サーバアクセス許可部１１０が許可しない場合は、待機状態となり、許可する場合は、ステップＳ３０に進み、サーバ入力部１００が、更に端末装置出力情報より詳しくはキーワード情報を入力する。
【００３３】
次に、ステップＳ４０において、サーバＷｅｂサイト掲載部１３０が、キーワード情報に基づいてサーバ記憶部１２０から不動産情報を読み出して不動産検索のＷｅｂサイト３に掲載する。
続いて、利用者端末装置４のデータ処理フローを図５のフローチャートに基づいて説明する。
【００３４】
まずステップＳ１００において、端末装置出力部２００が、管理サーバ３に端末装置出力情報より詳しくはパスワード情報およびキーワード情報を出力する。
次に、ステップＳ１１０において、端末装置入力部２１０が、サーバ記憶部１２０に記憶されキーワード情報に基づいて読み出した不動産情報または不動産検索のＷｅｂサイト２に掲載された不動産情報を抽出してサーバ出力部１４０およびネットワーク通信回線を通じて入力する。
【００３５】
続いて、ステップＳ１２０において、端末装置入力制限部２２０が、抽出した不動産情報を入力するか否かの判断を行う。端末装置入力制限部２２０が、抽出した不動産情報の入力を制限すると判断した場合は、待機状態となり、制限しないと判断した場合はそのまま不動産情報の入力を行い、端末装置記憶部２３０が、抽出した不動産情報を記憶する。
【００３６】
そして、ステップＳ１４０において、端末装置抽出部２４０が、端末装置記憶部２３０に記憶された不動産情報の中から更に不動産情報を選択して抽出する。
次いで、ステップＳ１５０において、端末装置情報送信部２５０が、ステップＳ１４０で抽出された不動産情報のファクシミリ送信を行う。
【００３７】
次に、ステップＳ１６０において、端末装置利用者Ｗｅｂサイト掲載部２６０および端末装置不動産Ｗｅｂサイト掲載部２７０が、ステップＳ１４０で抽出された不動産情報を利用者のＷｅｂサイト５および不動産検索のＷｅｂサイト２に掲載する。
【００３８】
以上説明したように本発明によれば、利用者端末装置４は、サーバ記憶部１２０に記憶された不動産情報または不動産検索のＷｅｂサイト２に掲載された不動産情報を抽出して入力する端末装置入力部２１０と、端末装置入力部２１０により入力された不動産情報を利用者のＷｅｂサイト５に掲載する端末装置利用者Ｗｅｂサイト掲載部２６０と、を有することとしたので、不動産検索のＷｅｂサイト２からの不動産情報の抽出や利用者（不動産会社）のＷｅｂサイト５への掲載を行うための作業時間を削減することができ、コストダウンを実現することができる。
【００３９】
また、利用者端末装置４は、端末装置入力部２１０により入力される不動産情報のデータ入力量、不動産物件の件数、データ入力速度、データ入力時間、およびデータ入力時刻のうち少なくともいずれかを制限する端末装置入力制限部２２０を有することとしたので、管理サーバ３側において不動産情報のデータ入力量、不動産物件の件数、データ入力速度、データ入力時間、およびデータ入力時刻が制限される場合にあっても適切に対応することができる。
【００４０】
なお、本発明は、上述した実施形態に限定されることなく特許請求の範囲を逸脱しない範囲で各種の変形実施および応用実施が可能であることは勿論である。すなわち、上述した実施形態にあっては、利用者端末装置４において端末装置入力制限部２２０を設け、該端末装置入力制限部２２０が、端末装置入力部２１０により入力される不動産情報のデータ入力量、不動産物件の件数、データ入力速度、データ入力時間、およびデータ入力時刻（データ入力の時間帯）のうち少なくともいずれかを制限することとしているが、管理サーバ３にサーバ出力制限部を設け、該サーバ出力制限部が、サーバ出力部１４０から出力される不動産情報のデータ出力量、不動産物件の件数、データ出力速度、データ出力時間、およびデータ出力時刻（データ出力の時間帯）のうち少なくともいずれかを制限することとしてもよい。
【産業上の利用可能性】
【００４１】
本発明は、不動産物件に関する不動産情報を掲載する不動産検索のＷｅｂサイトと、不動産検索のＷｅｂサイトを管理する管理者の有する管理サーバと、不動産検索のＷｅｂサイトに掲載された不動産情報を利用する利用者の有する利用者端末装置と、利用者のＷｅｂサイトと、を有する不動産情報利用システムにおいて、管理サーバや不動産検索のＷｅｂサイトからの不動産情報の抽出や利用者（不動産会社）のＷｅｂサイトへの掲載を行うための作業時間を削減することができ、コストダウンを実現することができる。これにより、不動産業界の発展に大いに貢献する。
【符号の説明】
【００４２】
１：不動産情報利用システム
２：不動産検索のＷｅｂサイト
３：管理サーバ
４：利用者端末装置
５：利用者のＷｅｂサイト
１００：サーバ入力部
１１０：アクセス許可部
１２０：サーバ記憶部
１３０：サーバＷｅｂサイト掲載部
１４０：サーバ出力部
２００：端末装置出力部
２１０：端末装置入力制限部
２２０：端末装置入力部
２３０：端末装置記憶部
２４０：端末装置抽出部
２５０：端末装置情報送信部
２６０：端末装置利用者Ｗｅｂサイト掲載部
２７０：端末装置不動産Ｗｅｂサイト掲載部
【図１】
2018132804.tif 000003
【図２】
2018132804.tif 000004
【図３】
2018132804.tif 000005
【図４】
2018132804.tif 000006
【図５】
2018132804.tif 000007